(57)【要約】      （修正有）【課題】比較的低い温度帯域（例えば５０℃程度）でも十分な発電量が確保できる新しい発電素子を自動車のエンジンルーム内に設置して、エンジンルーム内において発生した廃熱を電力として有効活用したエンジンモニタリング装置を提供する。【解決手段】エンジンのモニタリングセンサ３２から出力されるモニタリング信号を入力するモニタリング信号入力部２１と、熱エネルギーを受けて発電を行う発電素子１２と、発電素子において発電された電力を蓄電する蓄電池１４とを備え、モニタリング信号入力部が蓄電池からの電力で機能する、エンジンモニタリング装置１０に関する。【選択図】図１
2017014907.tif 000002
【特許請求の範囲】
【請求項１】
エンジンのモニタリングセンサから出力されるモニタリング信号を入力するモニタリング信号入力部と、熱エネルギーを受けて発電を行う発電素子と、発電素子において発電された電力を蓄電する蓄電池とを備え、モニタリング信号入力部が蓄電池からの電力で機能する、エンジンモニタリング装置。
【請求項２】
モニタリング信号をもとにエンジンを電子的に制御するエンジン電子制御ユニットを備え、エンジン電子制御ユニットがモニタリング信号入力部を有し、エンジン電子制御ユニットが蓄電池からの電力で機能する、請求項１に記載のエンジンモニタリング装置。
【請求項３】
モニタリング信号をモニタリング情報として表示する表示装置にモニタリング信号を無線送信する無線送信機を備え、無線送信機が蓄電池からの電力で機能し、無線送信機によるモニタリング信号の送信動作が、連続的に、または所定時間毎に実行される構成であることを特徴とする、請求項１または２に記載のエンジンモニタリング装置。
【請求項４】
発電素子がエンジンの近傍に設置されることを特徴とする、請求項１〜３のいずれかに記載のエンジンモニタリング装置。
【請求項５】
モニタリング信号入力部および／またはエンジン電子制御ユニットが遮熱部材の内側に封止され、発電素子が遮熱部材の外側に設置された、請求項１〜４のいずれかに記載のエンジンモニタリング装置。
【請求項６】
発電素子が、正極と負極との間に、ｐ型半導体およびｎ型半導体を有する、請求項１〜５のいずれかに記載のエンジンモニタリング装置。
【発明の詳細な説明】
【技術分野】
【０００１】
本発明は、発電素子を備えたエンジンモニタリング装置に関する。
【背景技術】
【０００２】
近年、エンジン電子制御ユニットに接続するワイヤーハーネスなどを省略する観点から、エンジン電子制御ユニットをエンジンと一体化させるなどして、エンジンルームの中に設置する試みが行われている（例えば、特許文献１参照）。
【０００３】
エンジン電子制御ユニットには、エンジンのモニタリングセンサから出力されるモニタリング信号を入力するモニタリング信号入力部が備えられているが、このモニタリング信号入力部等によって構成されるエンジンモニタリング装置は、車載用バッテリーからの電力で機能する構成のものである。
【０００４】
一方、自動車などのエンジンルーム内においては、エンジンを駆動させることで廃熱が発生するが、この廃熱における熱エネルギーは有効活用されずに放熱されて失われていた。
【０００５】
熱エネルギーを電力として有効活用する方法には、熱電発電素子や温度差発電素子等の発電素子を用いる方法が挙げられるが、これらの発電素子には種々の問題があった。
【０００６】
熱電発電素子は、熱を電力に変換する熱電素子の一種であり、２種類の異なる金属又は半導体を接合して、両端に温度差を生じさせると起電力が生じるゼーベック効果を利用するものである。しかし、一般的な熱電発電素子は、発電のために１００℃以上の高温の熱源を必要とするものが多く、比較的低温の熱源を利用した発電には適していないという問題があった。
【０００７】
温度差発電素子は、２種類の異なった半導体を用いた熱電変換素子（ペルチェ素子）を用いて、起電力を発生させるものである。しかし、温度差発電素子は、温度差を維持するための冷却機構が必要となるため、発電システムの構造が複雑化したり、設置コストが高くなってしまったりする問題があった。
【０００８】
以上のように、従来の発電素子では、自動車などのエンジンルーム内において、エンジンが駆動することによって生じる廃熱を有効活用することができないという問題があった。
【先行技術文献】
【特許文献】
【０００９】
【特許文献１】特開２０１３−１９９８７９号公報
【発明の概要】
【発明が解決しようとする課題】
【００１０】
そこで、本発明は、比較的低い温度帯域（例えば５０℃程度）でも十分な発電量が確保できる新しい発電素子を自動車のエンジンルーム内に設置して、エンジンルーム内において発生した廃熱を電力として有効活用したエンジンモニタリング装置を提供することを目的とする。
【課題を解決するための手段】
【００１１】
本発明は、エンジンのモニタリングセンサから出力されるモニタリング信号を入力するモニタリング信号入力部と、熱エネルギーを受けて発電を行う発電素子と、発電素子において発電された電力を蓄電する蓄電池とを備え、モニタリング信号入力部が蓄電池からの電力で機能する、エンジンモニタリング装置に関する。
【００１２】
本発明は、さらに、モニタリング信号をもとにエンジンを電子的に制御するエンジン電子制御ユニットを備え、エンジン電子制御ユニットがモニタリング信号入力部を有し、エンジン電子制御ユニットが蓄電池からの電力で機能する、エンジンモニタリング装置であることが好ましい。
【００１３】
本発明は、さらに、モニタリング信号をモニタリング情報として表示する表示装置にモニタリング信号を無線送信する無線送信機を備え、無線送信機が蓄電池からの電力で機能し、無線送信機によるモニタリング信号の送信動作が、連続的に、または所定時間毎に実行される構成であることを特徴とする、エンジンモニタリング装置であることが好ましい。
【００１４】
本発明は、さらに、発電素子がエンジンの近傍に設置されることを特徴とする、エンジンモニタリング装置であることが好ましい。
【００１５】
本発明は、さらに、モニタリング信号入力部および／またはエンジン電子制御ユニットが遮熱部材の内側に封止され、発電素子が遮熱部材の外側に設置された、エンジンモニタリング装置であることが好ましい。
【００１６】
本発明は、さらに、発電素子が、正極と負極との間に、ｐ型半導体およびｎ型半導体を有する、エンジンモニタリング装置であることが好ましい。
【発明の効果】
【００１７】
エンジンの廃熱で発電が可能になるため、エンジン近傍の高温環境下にエンジンモニタリング装置を設置した場合には、電力配線を最小限にしてエンジンモニタリング装置への電力供給が可能になる。
【図面の簡単な説明】
【００１８】
【図１】本発明の実施形態に係るエンジンモニタリング装置を示す構成図である。
【図２】本発明の実施形態に係るエンジンモニタリング装置に用いる発電素子の構成図の一例である。
【図３】本発明の実施形態に係るエンジンモニタリング装置に用いる発電素子の構成図の一例である。
【発明を実施するための形態】
【００１９】
以下、本発明のエンジンモニタリング装置の実施形態について、図面を用いて説明するが、本発明はこれに限定されない。
【００２０】
図１には、本発明の実施形態に係るエンジンモニタリング装置１０を示している。このエンジンモニタリング装置１０は、自動車やバイクなど、エンジンによって駆動するものに広く適用できる。
【００２１】
本発明のエンジンモニタリング装置１０を設置する場所は、特に限定されないが、エンジンルーム内など、エンジン３１の近傍に設置することができる。
【００２２】
本発明の実施形態に係るエンジンモニタリング装置１０は、例えば、遮熱部材１１、発電素子１２、充電回路１３、蓄電池１４、無線送信機１５、エンジン電子制御ユニット２０を備えて構成することができる。
【００２３】
遮熱部材１１は、充電回路１３、蓄電池１４、無線送信機１５、エンジン電子制御ユニット２０を内包する構造となっている。
【００２４】
遮熱部材１１には、上述のような電子機器類が内蔵されているため、電子機器類がエンジンルーム内の熱によって故障したり劣化したりしないようにするための遮熱性能を有している。遮熱部材の種類は、特に限定されず、公知のものを用いることができる。
【００２５】
本発明に用いる発電素子１２は、熱エネルギーを受けて発電を行うことができる発電素子であり、遮熱部材１１の外面を略被覆するようにして設置することができる。本実施形態のエンジンモニタリング装置１０の遮熱部材１１においては、エンジン３１に最も近い面に発電素子１２を設置した態様を示している。
【００２６】
発電素子１２は、遮熱部材１１の外面または内面のいずれに設置してもよい。発電素子１２を遮熱部材１１の外面に設置する場合は、発電素子１２に与えられる熱エネルギーが、遮熱部材１１によって遮られることがないため、発電素子１２における発電量が向上する。発電素子１２を遮熱部材１１の内面に設置する場合は、発電素子１２と充電回路１３を結ぶ配線を通す孔を遮熱部材１１に設ける必要がなくなり、全ての配線を遮熱部材１１の内部に収めることができる。また、発電素子１２を遮熱部材１１の内面に設置する場合は、エンジン電子制御ユニット２０自体が発生する熱も発電に利用することができる。
【００２７】
また、エンジンモニタリング装置１０を、発電素子１２において発電された電力によって機能させる構成とすることにより、車両用バッテリーとエンジンモニタリング装置１０を接続するためのワイヤーハーネスなどが不要となるため、ワイヤーハーネスの断線などによる故障リスクを軽減したり、ワイヤーハーネスの設置コストを低減したり、ワイヤーハーネスを設置するためのスペースを削減したりすることもできるようになる。
【００２８】
発電素子１２の発電に用いる熱エネルギーとしては、エンジン３１において生じる廃熱が利用される。そのため、発電素子１２において発電を行うための熱エネルギーが、車両走行中に持続的に供給されることにより、エンジンモニタリング装置１０が持続的に機能する構成となっている。
【００２９】
本発明に用いる発電素子１２は、熱エネルギーを受けて発電を行うことができるものであるが、得られる熱エネルギー量に応じて発電量も異なってくる。そのため、蓄電池１４に一定の電力を供給するために充電回路１３を設けることが好ましい。
【００３０】
充電回路２１としては、ＤＣ／ＤＣコンバータなどを用いることができる。
【００３１】
蓄電池１４は、充電回路１３において変圧された電力を蓄電する。蓄電池１４において蓄電された電力は、エンジン電子制御ユニット２０に供給され、必要に応じて無線送信機１５にも供給される。
【００３２】
蓄電池１４には、エンジンモニタリング装置１０を設置する際に、一定量以上の電力が蓄電されていることが好ましく、蓄電池１４の消費電力分を発電素子１２において発電した電力で補填する態様とすることが好ましい。
【００３３】
エンジン電子制御ユニット２０は、モニタリング信号入力部２１、コントロール信号出力部２２、ＣＰＵ（Ｃｅｎｔｒａｌ  Ｐｒｏｃｅｓｓｉｎｇ  Ｕｎｉｔ）２３、ＲＯＭ（Ｒｅａｄ  Ｏｎｌｙ  Ｍｅｍｏｒｙ）２４、ＲＡＭ（Ｒａｎｄｏｍ  Ａｃｃｅｓｓ  Ｍｅｍｏｒｙ）２５、バス２６などによって、エンジン３１を電子的に制御するためのユニットを構成している。
【００３４】
エンジン電子制御ユニット２０は、エンジン３１をモニタリングするために、エンジン３１に接続された各種モニタリングセンサ３２から出力されるモニタリング信号をモニタリング信号入力部２１において入力する。そして、エンジン３１をコントロールするために、コントロール信号出力部２２から、エンジン３１に接続された各種コントロール機構３３に、コントロール信号を出力する。以上のような仕組みによって、エンジン電子制御ユニット２０は、エンジン３１を電子的に制御する。
【００３５】
エンジンルームには、エンジン３１をモニタリングするための各種モニタリングセンサ３２として、エンジン回転数センサ、エアフロメータ、吸気温センサ、スロットル開度センサ、冷却水温センサ、アクセル開度センサ、および燃料温度センサなどが備えられている。
【００３６】
これらの各種モニタリングセンサ３２は、各種モニタリングセンサ３２における各種モニタリング結果を表す各種モニタリング信号を、エンジン電子制御ユニット２０のモニタリング信号入力部２１にそれぞれ出力する。
【００３７】
なお、エンジンモニタリング装置１０がエンジン３１の近傍に位置しており、エンジン電子制御ユニット２０がエンジン３１の近傍に位置していない設置態様、例えば、エンジンモニタリング装置１０をエンジンルーム内に設置し、エンジン電子制御ユニット２０を助手席や運転席などの車室内に設置する態様とすることもできる。
【００３８】
上記のように、モニタリング信号入力部２１とエンジン電子制御ユニット２０を別々に設置する場合は、エンジンルーム内のモニタリング信号入力部２１を車室内のエンジン電子制御ユニット２０に電力配線で接続する態様としてもよい。
【００３９】
エンジン回転数センサは、エンジンのクランクシャフトの回転数を検出できる位置に配置され、エンジン回転数に係るモニタリング信号を、エンジン電子制御ユニット２０のモニタリング信号入力部２１に出力する。
【００４０】
エアフロメータは、スロットルバルブよりも吸気上流側に配置され、吸入空気量に係るモニタリング信号を、エンジン電子制御ユニット２０のモニタリング信号入力部２１に出力する。
【００４１】
吸気温センサは、吸気マニホールドに配置され、吸気温に係るモニタリング信号を、エンジン電子制御ユニット２０のモニタリング信号入力部２１に出力する。
【００４２】
スロットル開度センサは、スロットルバルブの開度を検出できる位置に配置され、スロットル開度に係るモニタリング信号を、エンジン電子制御ユニット２０のモニタリング信号入力部２１に出力する。
【００４３】
冷却水温センサは、エンジン３１のシリンダブロックに形成されたウォータージャケットに配置され、エンジン３１の冷却水温に係るモニタリング信号を、エンジン電子制御ユニット２０のモニタリング信号入力部２１に出力する。
【００４４】
アクセル開度センサは、アクセルペダルの踏み込み量を検出できる位置に配置され、アクセル開度に係るモニタリング信号を、エンジン電子制御ユニット２０のモニタリング信号入力部２１に出力する。
【００４５】
燃料温度センサは、燃料通路内の温度を検出できる位置に配置され、燃料温度に係るモニタリング信号を、エンジン電子制御ユニット２０のモニタリング信号入力部２１に出力する。
【００４６】
エンジン電子制御ユニット２０において、モニタリング信号入力部２１およびコントロール信号出力部２２は、バス２６によって、ＣＰＵ２３、ＲＯＭ２４、ＲＡＭ２５と接続されている。
【００４７】
ＲＯＭ２４は、エンジン３１のコントロールを実行するためのプログラムを含む各種プログラムや、これらの各種プログラムを実行する際に参照される各種参照情報などを記憶している。
【００４８】
ＣＰＵ２３は、ＲＯＭ２４に記憶された各種プログラムや各種参照情報、各種モニタリングセンサ３２から入力されたモニタリング信号に基づいて、各種の演算処理を実行する。
【００４９】
より具体的には、エンジン回転数と吸入空気量とに基づき、燃料噴射量や点火時期に関する基本制御量を算出し、その基本制御量を、吸気温、冷却水温、空燃比、ノッキング発生頻度などに基づいて補正することで、エンジン３１における最適な燃料噴射量や点火時期を決定する。そして、最適な燃料噴射量や点火時期を実現するために、インジェクタからの燃料噴射量や点火プラグによる点火時期をコントロールするための情報を、コントロール信号としてコントロール信号出力部２２に出力する。
【００５０】
ＲＡＭ２５は、ＣＰＵ２３による演算結果や、各種モニタリングセンサ３２から入力されたモニタリング信号を一時的に記憶する。
【００５１】
コントロール信号出力部２２は、インジェクタや点火プラグなどの各種コントロール機構３３に接続されており、各種コントロール機構３３によって、エンジン３１の運転状態がコントロールされる。
【００５２】
インジェクタは、液体燃料を吸入空気に霧状に噴射する装置であり、コントロール信号出力部３３から出力されたコントロール信号に基づいて、空気に対して正確な量の燃料を噴射させることにより、最適な空燃比の混合気を生成する。
【００５３】
点火プラグは、混合気に点火して燃焼サイクルのきっかけを作る装置であり、コントロール信号出力部３３から出力されたコントロール信号に基づいて、点火のタイミングを最適化することにより、最適な燃焼サイクルを形成する。
【００５４】
上記のように、コントロール信号出力部３３から出力されたコントロール信号に基づいて、燃料噴射量や点火時期などがコントロールされる。
【００５５】
エンジン電子制御ユニット２０のモニタリング信号入力部２１に入力されたモニタリング信号は、無線送信機１５にも出力される。
【００５６】
無線送信機１５は、モニタリング信号入力部２１から入力されたモニタリング信号を、表示装置４０に無線送信する。なお、無線送信機１５は、モニタリング信号入力部２１に接続させずに、コントロール信号出力部２２やバス２６に接続させる態様としてもよい。
【００５７】
また、無線送信機１５におけるモニタリング信号の送信動作は、必要に応じて連続的に、または所定時間毎に間欠的に（例えば、数分〜数時間に１回程度）、実行するような構成とすることができる。すなわち、エンジン３１のモニタリング形態を、連続的なモニタリング形態または間欠的なモニタリング形態に任意に設定することができる。
【００５８】
モニタリング信号の送信動作を連続的に実行することで、エンジン３１の変化状態を継続的にモニタリングすることができる。また、モニタリング信号の送信動作を所定時間毎に実行すれば、送信動作を連続的に実行する場合に比べて、送信動作に要する消費電力を抑えることができ、蓄電池１４の電力消費等を軽減することができる。
【００５９】
上記以外に蓄電池の電力消費等を軽減させる方法としては、モニタリング信号を、無線送信によって能動的に発信せずに、ＲＦ−ＩＤ等によって受動的に外部から取り出す方法が挙げられる。この場合は、無線送信機１５に代えてＦｌａｓｈメモリ等の不揮発メモリを設ける等した上で、モニタリング信号を一旦不揮発メモリに蓄えておけば、外部から電波で不揮発メモリにアクセスしてモニタリング信号を取り出すことができるようになる。
【００６０】
表示装置４０は、無線受信機４１において受信したモニタリング信号を、表示画面４２にモニタリング情報として表示することにより、ドライバー等がモニタリング情報を認識することができるようになる。
【００６１】
表示装置４０としては、車両に搭載されたカーナビゲーションシステムやドライバーの有するスマートフォンなどが挙げられる。また、ドライバー以外の第三者にエンジン３１の異常を認識させるためには、車両管理会社の管理画面などを表示装置４０とする態様が挙げられる。
【００６２】
表示画面４２に表示するモニタリング情報は、特に限定されないが、エンジン回転数、吸入空気量、吸気温、スロットル開度、冷却水温、アクセル開度、または燃料温度などが挙げられる。表示画面４２にモニタリング情報を表示する態様は、特に限定されないが、メータ、ゲージ、または数値などの視認性が良好な態様が挙げられる。
【００６３】
なお、本発明のエンジンモニタリング装置１０に用いる発電素子として、例えば、温度差によって発電を行う温度差発電素子を用いようとすると、温度差を設けるために温度差発電素子を冷却するための機構が必要となるため、現実的ではない。
【００６４】
また、本発明で用いている発電素子は、熱エネルギーを受けて発電を行う発電素子であるが、熱エネルギーを受けて発電を行う発電素子であっても、従来の発電素子では、発電のために１００℃以上の高温を必要とすることが多かったため、エンジンルーム内の熱源を用いて発電を行い、エンジンモニタリング装置１０に電力を供給するという構成をとることはできなかった。一方、本発明のエンジンモニタリング装置１０は、以下のような構成の発電素子によって実現できるものとなっている。
【００６５】
本発明のエンジンモニタリング装置に用いる発電素子６は、図２または図３に示すように、正極１と負極５との間に、ｐ型半導体と、ｎ型半導体とを有するものであれば、特に限定されず、正極１と負極５との間に、さらに、強誘電体を有するものであってもよく、強誘電体を有さないものであってもよい。
【００６６】
発電素子６は、例えば、図２に示すように、正極１と、ｐ型半導体層２と、強誘電体層３と、ｎ型半導体層４と、負極５とがその順で配置された構造形態を有している。また、図３に示すように、ｐ型半導体層２と、強誘電体層３と、ｎ型半導体層４とは、接触界面を増やすために混合したヘテロジャンクション構造をとっていてもよい。こうした発電素子６は、従来の発電素子とは異なる新しい発電素子であり、高い電流を発生する発電現象を起こす。特に恒温槽中で常温（例えば２５℃）から昇温することにより実現できる。
【００６７】
正極１及び負極５は、導電性材料であり、正極１の仕事関数が負極５の仕事関数と同じか高い材料を用いる。正極１の仕事関数が負極５の仕事関数より高い方が望ましい。正極１としては、銅、銅合金、ＳＵＳ４３０等のステンレス鋼、錫めっき銅、銀、白金、金等を一例として挙げることができるが、これらの材料は、仕事関数を考慮して決定することができ、列記した正極材料に限定されない。負極５は、正極１とは異なる材料であればよく、例えば、アルミニウム又はアルミニウム合金、Ｍｇ−Ａｌ等のマグネシウム合金等の金属材料や、インジウム錫酸化物（ＩＴＯ）等の導電性酸化物材料等を挙げることができるが、これらの材料は、仕事関数を考慮して決定することができ、列記した負極材料に限定されない。
【００６８】
正極１及び負極５の形状も特に限定されず、発電素子６の形状に応じた形状に加工することができる。例えば、発電素子６が、平面配置型用の発電素子６である場合には、正極１と負極５とを、ｐ型半導体層２、強誘電体層３及びｎ型半導体層４を挟んで対向配置して構成できる。なお、この平面配置型の発電素子６は、正極１と負極５とを順次直列接続して直列配置型の発電素子複合体にしたり、正極１と負極５とを順次並列接続して並列配置型の発電素子複合体にしたりすることができる。また、発電素子６を、乾電池型用の発電素子としてもよく、その場合は、中心を負極棒とし、周りを正極管として構成できる。
【００６９】
ｐ型半導体層２は、ポリ（３，４−エチレンジオキシチオフェン）−ポリ（スチレンスルホン酸）、ポリ（３，４−エチレンジオキシチオフェン）−ポリ（ビニルスルホン酸）、ポリアニリン、ポリピロール、ポリチオフェン、ポリ（ｐ−フェニレン）、ポリフルオレン、ポリ（ｐ−フェニレンビニレン）、ポリチエニレンビニレン、グラフェン、ＣｕＡｌＯ２、ＣｕＧａＯ２、ＬｉＮｉＯ２から選ばれるｐ型半導性高分子であることが好ましい。なお、ホール伝導が観測されれば、列記したｐ型半導体材料に限定されない。
【００７０】
ｐ型半導体層２の厚さは、発電素子６の作製方法によって異なり、特に限定されないが、例えば１０μｍ以上、１０００μｍ以下の範囲内であることが好ましい。なお、発電素子６中でのｐ型半導体層２の境界は、そのｐ型半導体特性を奏する限り、図２に示すようにはっきり区分けされていてもよいし、図３に示すように、ｐ型半導体層２が強誘電体層３とｎ型半導体層４ともに、接触界面を増やすために混合したヘテロジャンクション構造をとっていてもよい。したがって、上記の厚さ範囲も、ｐ型半導体層２の作用を奏する範囲での厚さとして表すことができる。
【００７１】
強誘電体層３は、チタン酸バリウム、チタン酸ジルコン酸鉛、チタン酸鉛、ジルコン酸鉛、チタン酸ビスマスランタン、チタン酸カドミウム、ニオブ酸リチウム、タンタル酸リチウム、ビスマスフェライト、及びリチウムドープ酸化亜鉛から選ばれるいずれかの粒子を含むことが好ましい。なお、強誘電性が観測されれば、列記した強誘電性材料に限定されない。強誘電体層３は、材料の１種を単独で用いてもよいし、２種以上を用いてもよい。この強誘電体層３は、強誘電性を有する層であり、強誘電性を有するので発電をし、また、その強誘電体層３がさらにｎ型半導性を有する場合には電子（キャリア）の移動も容易であり、発電素子の構成要素として極めて望ましい。
【００７２】
強誘電体粒子の形状や粒径は特に限定されないが、全体的な形状が球形状又は略球形状、楕円形状又は略楕円形状であればよく、その表面がなめらかでも凹凸であってもよい。強誘電体粒子の平均粒径は、入手の容易さや素子作製上の問題がない範囲で各種の大きさのものを選択することができるが、平均粒径の大きいものほど誘電率も高いので好ましく用いることができる。また、強誘電体粒子の平均粒径を所望の値に設定することにより、表面積をコントロールできるという利点がある。強誘電体粒子の平均粒径は、原料の段階では走査型電子顕微鏡（ＳＥＭ）によって測定することができ、強誘電体層３を構成した後も走査型電子顕微鏡（ＳＥＭ）によって測定することができる。
【００７３】
強誘電体層３は、強誘電体粒子で構成されているが、本発明の効果を阻害しない範囲で、強誘電性を有する他の無機物を含んでいてもよい。また、本発明の効果を阻害しない範囲で、導電性やｎ型半導性を有する他の無機物を含んでいてもよい。
【００７４】
ｎ型半導体層４は、酸化スズ、アンチモンドープ酸化スズ、フッ素ドープ酸化スズ、ガリウムドープ酸化亜鉛、アルミドープ酸化亜鉛、ニオブドープチタン酸ストロンチウム、及び酸化カルシウムドープ酸化ジルコニウムから選ばれるいずれかの粒子を含むことが好ましい。なお、電子伝導が観測されれば、列記したｎ型半導体材料に限定されない。この粒子は、ｎ型半導体粒子であり、１種を単独で用いてもよいし、２種以上を用いてもよい。
【００７５】
ｎ型半導体粒子の粒子形状や粒径は特に限定されないが、全体的な形状が球形状又は略球形状、楕円形状又は略楕円形状であればよく、その表面がなめらかでも凹凸であってもよい。ｎ型半導体粒子の平均粒径は、入手の容易さや素子作製上の問題がない範囲で各種の大きさのものを選択することができるが、平均粒径の大きいものほど導電率が高いので好ましく用いることができる。また、ｎ型半導体粒子の平均粒径を所望の値に設定することにより、表面積をコントロールできるという利点がある。ｎ型半導体粒子の平均粒径は、原料の段階では走査型電子顕微鏡（ＳＥＭ）によって測定することができ、ｎ型半導体層４を構成した後も走査型電子顕微鏡（ＳＥＭ）によって測定することができる。
【００７６】
ｎ型半導体層４は、ｎ型半導体粒子で構成されているが、本発明の効果を阻害しない範囲で、ｎ型になり得る他の無機物を含んでいてもよい。
【００７７】
ｎ型半導体層４の抵抗は特に限定されないが、例えば２Ω以上、７Ω以下程度の範囲内が好ましい。ｎ型半導体層４をこうした範囲の抵抗にすることによって、内部インピーダンスを下げて電流を取り出しやすくするという利点がある。ｎ型半導体層４の抵抗は、ＬＣＲハイテスタによって測定することができる。ｎ型半導体層４の抵抗が２ｋΩ未満の場合、より具体的には例えば１ｋΩ未満や１００ｋΩ未満の場合は、そのｎ型半導体層４上に設けられる導電性のｐ型半導体層２がｎ型半導体層４中に浸入してショート状態になってしまい、発電素子として作動しないことがある。
【００７８】
発電素子６は、上記構成を備えるものであれば、各種の方法で作製することができる。図２に示す発電素子６は、正極１と、ｐ型半導体層２と、強誘電体層３と、ｎ型半導体層４と、負極５とがその順で配置された構造形態であり、図３に示す発電素子６は、正極１と負極５とが、ｐ型半導体層２と強誘電体層３とｎ型半導体層４とが混合したヘテロジャンクション構造である。
【００７９】
この発電素子６の作製は特に限定されないが、正極１上に、ｎ型半導体層４、強誘電体層３、ｐ型半導体層２を順に形成する。ｐ型半導体層２は、ｐ型半導性高分子を例えば滴下又は塗布して形成することができる。強誘電体層３とｎ型半導体層４は、それぞれの粒子を例えば加圧成形して形成することができる。
【００８０】
こうして作製された発電素子部材は、平面的な直列構造又は並列構造になるように接続することができる。発電素子部材を直列接続して発電素子複合体を構成する場合、隣り合う発電素子部材の正極１と負極５とを、カシメ、圧接、ロウ付け等で接続して直列構造にすることができる。また、発電素子部材を並列接続して発電素子複合体を構成する場合、長く延びる電極に、発電素子部材の正極１と負極５をそれぞれ、カシメ、圧接、ロウ付け等で接続して並列構造にすることができる。
【００８１】
このような発電素子複合体は、複数の発電素子部材を接続して１次元的（直列配置）又は二次元的（並列配置）に作製することができるが、厚さ方向に積層して三次元的な立体構造にすることもできる。
【００８２】
なお、乾電池型用の発電素子としてもよく、その場合、底のある正極管の中に、ｎ型半導体粒子や強誘電体粒子の投入と、ｐ型半導性高分子材料の滴下又は塗布とを繰り返し、それらを層状に形成することができる。なお、負極棒は、ｎ型半導体層４と強誘電体層３とｐ型半導体層２との層状構造の形成前又は形成後に、正極管の中央に、その正極管に接触しないようにして挿入すればよい。
【００８３】
本発明に用いる発電素子では、例えば、正極１は、厚さ０．２ｍｍ、縦１０ｍｍ、横１０ｍｍの平板状の銅部材とし、負極５は、厚さ０．２ｍｍ、縦１０ｍｍ、横１０ｍｍの平板状のアルミニウム部材とすることができる。負極５の上に、ニオブ酸リチウム粒子からなる厚さ２ｍｍのｎ型半導体層４を形成し、この強誘電性を有するｎ型半導体層４の上から、液状のｐ型半導性高分子であるポリ（３，４−エチレンジオキシチオフェン）−ポリ（スチレンスルホナート））を滴下し、ｎ型半導体層４上にｐ型半導体層２を設け、その上から負極５を載せて発電素子６を作製することができる。以上のようにして、電極間抵抗が２５ｋΩとなる発電素子６を得ることができる。
【００８４】
発電素子６を恒温糟に入れ、負荷抵抗１０Ωを接続し、恒温層中の温度を変化させながら、発電素子６の性能を評価すると、表１および表２に示すような結果を得ることができる。
【００８５】
【表１】
2017014907.tif 000003
【００８６】
【表２】
2017014907.tif 000004
【００８７】
本発明に用いる発電素子としては、高い電流を発生する発電現象を起こすことができ、特に恒温槽中で常温（例えば２５℃）から昇温した場合であっても発電することが可能な発電素子を用いることができる。
【００８８】
発電素子は、ｐ型半導体と強誘電体とｎ型半導体とを混合した粉末を、銅などの正極板とアルミニウムなどの負極板とでラミネートして封止したバルク型の態様として、エンジンモニタリング装置に設置することができる。また、ｐ型半導体と強誘電体とｎ型半導体とを混合してペースト状にしたものを、銅などの正極板とアルミニウムなどの負極板とでラミネートして封止したフィルム型の態様として、エンジンモニタリング装置に設置することもできる。
【００８９】
上記のようなバルク型またはフィルム型の発電素子は、数ｍｍ角のものを直列または並列に連結して用いてもよいし、数ｃｍ角のものを直列または並列に連結して用いてもよい。また、本発明に用いる発電素子は、任意の形状に成形できるため、発電素子を設置する基材の表面は、平坦である必要はなく、曲面状であってもよいし、凹凸を有するものであってもよい。
【符号の説明】
【００９０】
１    正極
２    ｐ型半導体層
３    強誘電体層
４    ｎ型半導体層
５    負極
６    発電素子
１０    エンジンモニタリング装置
１１    遮熱部材
１２    発電素子
１３    充電回路
１４    蓄電池
１５    無線送信機
２０    エンジン電子制御ユニット
２１    モニタリング信号入力部
２２    コントロール信号出力部
２３    ＣＰＵ
２４    ＲＯＭ
２５    ＲＡＭ
２６    バス
３１    エンジン
３２    各種モニタリングセンサ
３３    各種コントロール機構
４０    表示装置
４１    無線受信機
４２    表示画面
【図１】
2017014907.tif 000005
【図２】
2017014907.tif 000006
【図３】
2017014907.tif 000007